(57)【特許請求の範囲】
【請求項１】
水溶性高分子、低揮散性シリコーンオイルおよび極性溶媒を含有し、極性溶媒として、炭素数５以下の低級アルコール、または下記式（１）
【化１】
0006683526.tif 000007
（式中、ｎは１ないし３の自然数を示す）
で示される芳香族アルコールを組成物中に５０〜８５質量％含有する揮散用ゲル状組成物。
【請求項２】
水溶性高分子の含有量が０．１〜３０質量％である請求項１記載の揮散用ゲル状組成物。
【請求項３】
水溶性高分子が水溶性セルロースエーテルである請求項１記載または２に記載の揮散用ゲル状組成物。
【請求項４】
水溶性高分子がヒドロキシエチルセルロースおよびヒドロキシプロピルメチルセルロースから選ばれる１種以上である請求項１〜３の何れか１項に記載の揮散用ゲル状組成物。
【請求項５】
低揮散性シリコーンオイルの含有量が０．３〜５質量％である請求項１〜４の何れか１項に記載の揮散用ゲル状組成物。
【請求項６】
低揮散性シリコーンオイルが、メチルフェニルシリコーン、アルキル変性シリコーン、カルビノール変性シリコーン、フェニル変性シリコーン、ポリエーテル変性シリコーンから選ばれる１種又は２種以上である請求項１〜５の何れか１項に記載の揮散用ゲル状組成物。
【請求項７】
極性溶媒として、さらに水を含有する請求項１〜６の何れか１項に記載の揮散用ゲル状組成物。
【請求項８】
炭素数５以下の低級アルコールがエタノールである請求項１〜７の何れか１項に記載の揮散用ゲル状組成物。
【請求項９】
さらに、アルカリ剤を含有する請求項１〜８の何れか１項に記載の揮散用ゲル状組成物。
【請求項１０】
アルカリ剤が、セスキ炭酸ナトリウムまたは水酸化カリウムである請求項１〜９の何れか１項に記載の揮散用ゲル状組成物。
【請求項１１】
さらに、香料及び／又は防虫成分を含有する請求項１〜１０の何れか１項に記載の揮散用ゲル状組成物。
【請求項１２】
ヒドロキシエチルセルロース、ヒドロキシプロピルメチルセルロース、低揮散性シリコーンオイル、エタノール、水、並びに、香料及び／又は防虫成分を含有し、エタノールの含有量が５０〜８５質量％である揮散用ゲル状組成物。
【発明の詳細な説明】
【技術分野】
【０００１】
本発明は、ゲル状組成物に関し、更に詳細には、ゲルの収縮時において、容器からの離型性に優れ、ゲルが一塊となって収縮し、かつ、使用終点の視認性の高いゲル状組成物に関する。
【背景技術】
【０００２】
従来から、水やアルコール又はこれらの混合液中に、香料や消臭成分などの有効成分を分散又は可溶化させ、ゲル化剤を用いてゲル化したゲル状組成物が知られている。そして、このゲル状組成物は、有効成分を少しずつ放出させる芳香剤、消臭剤、殺虫剤などのゲル状製剤に広く利用されている。
【０００３】
通常、ゲル状組成物は、溶媒や香料等の揮散性物質の揮発に伴い、体積が減少して収縮するが、その際、容器の内壁に薄いゲルの残渣が付着し、容器からゲルが綺麗に剥がれにくいといった現象が生じていた。また、離型性の悪いゲルは、収縮時のゲルの形状もいびつであるため、美観に十分優れたものではなく、さらに、ゲルが一塊になって収縮しないので使用終了時の終点の視認性も不明瞭であった。
【０００４】
そのため、ゲルの離型性を改善し、また、ゲルを一塊となって収縮させるために、特許文献１には、特定の共重合体にポリアルキル変性シリコーンを配合したゲル状組成物が公開されている。しかし、上記共重合体は、アルキルアクリルアミド系の特殊なポリマーであるため、製造や一般的な入手が困難であった。また、このゲル状組成物は、未重合のアクリルアミドモノマーがゲル内に残留する可能性もあるため、屋内や車内などで使用するゲル状製剤としては積極的に利用されるものではなかった。
【０００５】
さらに、ゲルの離型性を良くするために、特許文献２には、ゲルを充填する容器の内壁に、予めシリコーンをコーティングする技術が公開されている。しかし、ゲルを容器に充填するたびに、予め容器にシリコーンをコーティングしなければならず、煩雑で手間や時間がかかるため、製造において問題があった。
【先行技術文献】
【特許文献】
【０００６】
【特許文献１】特開２００６−１３１６９７号公報
【特許文献２】特表２００８−５４００６６号公報
【発明の概要】
【発明が解決しようとする課題】
【０００７】
本発明は上記実情に鑑みなされたものであり、ゲルの収縮時において、容器からの離型性が良く、また、ゲルが一塊となって収縮し、美観に優れるとともに、使用終点の視認性もよい、安全性に優れたゲル状組成物を得るための技術を提供することをその課題とするものである。
【課題を解決するための手段】
【０００８】
本発明者らは上記課題を解決するために鋭意研究した結果、水溶性高分子、低揮散性シリコーンオイルおよび極性溶媒を用いて得られたゲル状組成物が、ゲルの収縮時において、ゲルが容器に付着しにくく、また、ゲルが一塊となって綺麗に収縮していくことを見出し、本発明を完成した。
【０００９】
すなわち本発明は、水溶性高分子、低揮散性シリコーンオイルおよび極性溶媒を含有することを特徴とするゲル状組成物である。
【００１０】
また、本発明は、上記ゲル状組成物を、ポリプロピレン、ポリエチレン、ポリエチレンテレフタレート及びポリスチレンより選ばれる合成樹脂の容器に充填してなることを特徴とする芳香剤、消臭剤、殺虫剤、防虫剤又は殺菌剤である。
【００１１】
さらに、本発明は、水溶性高分子、低揮散性シリコーンオイルおよびアルコールの混合物中に、１〜３０℃の水を加えることを特徴とするゲル状組成物の製造方法である。
【００１２】
また、さらに、本発明は、水溶性高分子とアルコールとの混合物中に、１〜３０℃の水と低揮散性シリコーンオイルを含有するシリコーンエマルジョンとの混合物を加えることを特徴とするゲル状組成物の製造方法である。
【発明の効果】
【００１３】
本発明のゲル状組成物は、ゲルが収縮する際、容器にゲルが付着しにくいため、離型性に優れたものである。また、本発明のゲル状組成物は、ゲルが一塊となって収縮するため、使用終点の視認性が良く、美観も十分優れたものである。さらに、本発明のゲル状組成物は、低揮散性シリコーンオイルを使用するため、安全性に優れたものである。
【００１４】
従って、本発明のゲル状組成物は、消臭剤、殺虫剤、防虫剤、殺菌剤、芳香剤等として利用することができるものである。さらに、本発明のゲル状組成物は、冷蔵庫、冷凍庫、米びつ等の食料品を貯蔵している場所においても、食料品にシリコーンオイルが付着することなく安心して使用することができるものである。
【図面の簡単な説明】
【００１５】
【図１】ａは、作成されたゲルの上端の位置、ｂは、ゲルをビーカーごと横倒しに倒して５分経過した後のゲル表面先端の位置である。
【図２】発明品５における、３日目と７日目のゲルの収縮の様子である。
【図３】発明品６における、３日目と７日目のゲルの収縮の様子である。
【図４】発明品７における、３日目と７日目のゲルの収縮の様子である。
【図５】発明品８における、３日目と７日目のゲルの収縮の様子である。
【図６】発明品９における、３日目と７日目のゲルの収縮の様子である。
【図７】比較品２における、３日目と７日目のゲルの収縮の様子である。
【発明を実施するための形態】
【００１６】
本明細書中において、ゲル状組成物は、アルコールや水などを含有する極性溶媒を利用した、ゲル状の外観を有するものを意味する。また、「ゲル状」とは、ゾルが流動性を失って固化した状態、または高い粘性を持って流動性を失い、その外観が一般にゲルといわれる状態を意味し、例えば、１００ｍｌビーカーに総量５０ｇのゲルを作成し、ビーカーにおける作成後のゲル上端の位置から、そのゲルをビーカーごと横倒しに倒して５分経過した後のゲル表面先端の位置との距離が、０ｍｍ〜４５ｍｍであるものを意味する。
【００１７】
本発明のゲル状組成物は、ゲル化剤としての水溶性高分子、低揮散性シリコーンオイル及び極性溶媒で構成されるものであり、必要により、芳香成分、消臭成分、殺虫・殺菌成分等の有効成分を含有するものである。
【００１８】
本発明において用いられる水溶性高分子は、例えば、カラギーナン、寒天、アルギン酸、ゼラチン、グアーガム等の天然ポリマーや、ヒドロキシプロピル化グアーガム等のその誘導体、ジェランガム等の微生物由来多糖類、セルロース系である半合成ポリマー等が挙げられる。特に、セルロース系の高分子である水溶性セルロースエーテルを用いたゲルにおいては、通常ゲルの離型性が悪くなりやすいが、本発明により高い離型性向上効果を得ることができる。
【００１９】
上記水溶性セルロースエーテルは、セルロースを苛性ソーダで処理後、塩化アルキル、酸化アルキレン等のエーテル化剤と反応させて得られる非イオン性の水溶性セルロースエーテルであり、セルロースの水酸基の水素原子の一部をアルキル基やヒドロキシアルキル基等で置換することにより、水素結合を消失させ、水溶性としたものである。
【００２０】
また、上記水溶性セルロースエーテルの好ましい置換度、すなわちセルロースのグルコース環単位当たりに存在するアルコキシル基で置換された水酸基の平均個数は、好ましくは０．５〜２．５、さらに好ましくは０．８〜２．５の範囲である。また置換モル数、すなわちセルロースのグルコース環単位当たりに付加したヒドロキシアルコキシ基の平均モル数は、好ましくは０．０５〜３．０、更に好ましくは０．１〜２．８の範囲である。
【００２１】
さらに、上記水溶性セルロースエーテルとしては、例えば、ヒドロキシエチルセルロース、ヒドロキシプロピルセルロースなどのヒドロキシＣ２−４アルキルセルロース、ヒドロキシエチルメチルセルロース、ヒドロキシエチルエチルセルロース、ヒドロキシプロピルメチルセルロースなどのヒドロキシＣ２−４アルキルＣ１−４アルキルセルロース、カルボキシメチルセルロースなどのメチルセルロースなどが挙げられる。この中でも、ヒドロキシエチルセルロース（以下、「ＨＥＣ」と略称する）とヒドロキシプロピルメチルセルロース（以下、「ＨＰＭＣ」と略称する）が好ましく、ＨＥＣは、例えば、「ＨＥＣダイセル」（ダイセルファインケム（株）製）などとして、また、ＨＰＭＣは、例えば、「メトローズ」（信越化学工業（株）製）などとして市販されているので、これらをそのまま使用することもできる。
【００２２】
上記水溶性高分子の含有量は、全組成に対して、好ましくは０．１〜３０質量％（以下、単に％という）、より好ましくは１〜２０％である。
【００２３】
また、本発明において用いられる水溶性高分子を水に溶解させた際の好ましい水溶液の粘度は、２％水溶液として２０〜１０００００ｍＰａ・ｓが好ましく、８０〜１０００００ｍＰａ・ｓがより好ましい。なお、粘度は、２５℃で、Ｂ型粘度計を用いて測定した値である。
【００２４】
一方、本発明において用いられる低揮散性シリコーンオイルとは、２０℃における蒸気圧が１００Ｐａ以下である低揮散性の性質を有するものである。従って、本発明で使用する低揮散性シリコーンオイルは蒸発しにくいため、たとえば食料品を貯蔵している場所で使用しても、食料品にシリコーンオイルが付着することがない安全性の高いものである。
【００２５】
また、低揮散性シリコーンオイルは、２０℃で液状、クリーム状、ペースト状等の流動性であるものが好ましく、オイルのまま、又は、オイルを予め乳化されたシリコーンエマルジョンの形態で使用してもよい。シリコーンエマルジョンは、低揮散性シリコーンオイルを粉末シリカにて増稠化させたシリコーンオイルコンパウンドを、ソルビタン脂肪酸エステルやグリセリン脂肪酸エステル等の界面活性剤により水中で乳化分散させた、水性エマルジョンとして得ることができる。また、低揮散性シリコーンオイルの水性エマルジョンは、例えば、エマルジョン型消泡剤「ＫＭ−７２」（信越シリコーン（株）製）などとして市販されているので、これをそのまま使用することもできる。
【００２６】
さらに、低揮散性シリコーンオイルの含有量は、全組成に対して、好ましくは０．３〜５％、より好ましくは０．３〜３％である。
【００２７】
上記低揮散性シリコーンオイルの種類としては、例えば、アルキル変性シリコーン、ポリエーテル変性シリコーン、カルビノール変性シリコーン、フェニル変性シリコーンなどの変性シリコーン、非反応性シリコーンであるメチルフェニルシリコーンや環状ジメチル等のストレートシリコーンが挙げられる。
【００２８】
上記アルキル変性シリコーンとしては、例えば、カプリリルメチコン、セチルジメチコンなどが挙げられ、この中でもカプリリルメチコンが好ましい。
【００２９】
上記ポリエーテル変性シリコーンとしては、例えば、ポリグリセリル−３ジシロキサンジメチコン、ＰＥＧ−１２ジメチコン、ＰＥＧ−１１メチルエーテルジメチコンなどが挙げられ、この中でもポリグリセリル−３ジシロキサンジメチコンが好ましい。
【００３０】
上記カルビノール変性シリコーンとしては、例えば、ビス（ヒドロキシエトキシプロピル）ジメチコンなどが挙げられる。
【００３１】
上記フェニル変性シリコーンとしては、例えば、フェニルトリメチコン、トリメチルペンタフェニルトリシロキサンなどが挙げられ、この中でもフェニルトリメチコンが好ましい。
【００３２】
上記メチルフェニルシリコーンとしては、例えば、ジフェニルシロキシフェニルトリメチコン、ジフェニルジメチコンなどが挙げられ、この中でもジフェニルシロキシフェニルトリメチコンが好ましい。
【００３３】
本発明で用いられる極性溶媒としては、例えば、アルコール系溶媒および水などを用いることができ、この中でも、アルコール系溶媒として、炭素数が５以下の低級アルコール、または下記式（１）で示される芳香族アルコールが望ましい。
【００３４】
【化１】
0006683526.tif 000002
（式中、ｎは１ないし３の自然数を示す）
【００３５】
具体的なアルコールの例としては、メタノール、エタノール、プロパノール、イソプロパノール、ｎ−ブタノール、イソブタノール、ｓｅｃ−ブタノール、ｔｅｒｔ−ブタノール、３−メトキシ−３−メチル−１−ブタノール、２−メチル−１−プロパノール、２−メチル−２−プロパノール、ペンタノール、フェノキシエタノール等のモノアルコールが挙げられ、この中でもエタノールが好ましい。
【００３６】
本発明のゲル状組成物中におけるアルコールの量は、好ましくは５０〜８５％であり、６０〜８５％がより好ましく、６０〜８０％がさらに好ましい。
【００３７】
本発明のゲル状組成物中における水の量は、好ましくは１０〜３０％であり、１０〜２５％がより好ましく、１０〜２０％がさらに好ましい。
【００３８】
また、上記溶媒成分中に、アルカリ剤を加えてゲル化させることで、より流動性の低いゲル状組成物を得ることができる。アルカリ剤としては、例えば、重曹、セスキ炭酸ナトリウム、炭酸ナトリウム等の炭酸塩、水酸化ナトリウム、水酸化カリウム、水酸化カルシウム等の無機水酸化物、アルカノールアミン、メチルアミン、エチルアミン等の有機アルカリ、酢酸ナトリウム、クエン酸ナトリウム等の有機酸のアルカリ金属塩を挙げることができ、この中でも、セスキ炭酸ナトリウム、水酸化カリウムが好ましい。
【００３９】
さらに、上記溶媒成分中に、芳香成分、消臭成分、殺虫・防虫成分、殺菌成分等の有効成分を加えてもよい。
【００４０】
上記有効成分としては、特に制約はないが、例えば、香料、精油等の芳香成分、硫酸アルミニウム、塩化アンモニウム、ミョウバン、硫酸銅、硫化亜鉛、ステアリン酸亜鉛、ステアリン酸アルミニウム、酸化チタン酸化亜鉛、フラボノイド化合物、カテキン、ポリフェノール、シクロデキストリン、ゼオライト、層状アルミノケイ酸亜鉛、活性炭、備長炭等の消臭成分、エンペントリン、トランスフルスリン、アレスリン、フェノトリン、メトフルトリン、プロフルトリン、パラジクロロベンゼン、ナフタリン、樟脳、２−フェノキシエタノール、唐辛子粉末、ゴボウ粉末、クミンアルデヒド、塩化ベンザルコニウム、塩化アルキルトリメチルアンモニウム等の殺虫・防虫・殺菌成分等が挙げられる。
【００４１】
また、必要に応じて、界面活性剤等の乳化・分散成分、酸・アルカリ等のｐＨ調整成分、合成色素、天然色素等の色素成分等を加えることもできる。
【００４２】
本発明のゲル状組成物の製造は、従来公知の方法で製造することができる。水溶性高分子にセルロース系高分子を使用した場合の一つの好ましい製造方法としては、アルコール中に水溶性高分子及び低揮散性シリコーンオイルを加え分散させた後、特段加熱等をすることなく常温（２５℃程度）で、１℃〜３０℃、好ましくは、１℃〜２０℃の水を加え攪拌して均一化することにより行われる。この方法においては、アルコール中に水溶性高分子及び低揮散性シリコーンオイルを加えた段階では、流動性が高い分散液であるが、水を加えることにより水溶性高分子は水に溶解し、組成物全体がゲル化する。また、もう一つの好ましい製造方法としては、アルコール中に水溶性高分子を加えて分散させた溶液に、１℃〜３０℃、好ましくは、１℃〜２０℃の水にシリコーンエマルジョンを分散させた水溶液を加えることにより、組成物全体がゲル化する。
【００４３】
また、本発明のゲル状組成物を容器に充填して利用する場合、容器の材質としては、ゲル状組成物の収縮を目視できる透明又は半透明であることが好ましく、また、容器の形状としては、開口部やスリット部を有して内部を視認できるものであることが好ましい。
【００４４】
上記容器の素材としては、合成樹脂製、例えばポリプロピレン、ポリエチレン、ポリエチレンテレフタレート、ポリスチレンなどの容器を使用するのが好ましく、この中でも、特に耐薬品性や耐衝撃性に優れているポリプロピレンが好ましい。
【００４５】
斯くして得られる本発明のゲル状組成物は、ゲルの収縮時において、離型性が良く、またゲルが一塊で収縮するため、美観にも優れ、さらに、使用終点の視認性も明確である。
【００４６】
また、本発明のゲル状組成物は、低揮散性シリコーンオイルを使用しているため、たとえば、冷蔵庫、冷凍庫、米びつ等の食料品を貯蔵している場所で使用しても、食料品にシリコーンオイルが付着することなく安全に使用することができるものである。
【００４７】
上記のような性質から、本発明のゲル状組成物を上記容器に充填して消臭剤、殺虫剤、防虫剤、殺菌剤、芳香剤等として有利に利用することができる。
【実施例】
【００４８】
次に実施例を挙げ、本発明を更に詳しく説明するが、本発明はこれら実施例により何ら
制約されるものではない。
【００４９】
実  施  例  １
ゲル状組成物の調製および物性評価（１）：
表１に示す組成に従い、室温下で下記の方法によりゲル状組成物を調製した。得られたゲル状組成物について、下記評価基準によりその物性を評価した。結果を併せて表１に示す。
【００５０】
【表１】
0006683526.tif 000003
【００５１】
［  製  法  １］
室温下、プラスチック製の１００ｍｌ用ビーカー中に、表１に記載のセスキ炭酸ナトリウムおよびイオン交換水以外の成分を加え、懸濁液を得た。また、室温のイオン交換水にセスキ炭酸ナトリウムを溶解させ、セスキ炭酸ナトリウム水溶液を得た。上記懸濁液をスターラーで攪拌しつつ、セスキ炭酸ナトリウム水溶液を加えてゲル化させ、ゲル状組成物を得た。
【００５２】
ゲル状組成物の物性評価：
上記ゲル状組成物について、下記評価基準によりその物性を評価した。
【００５３】
［  物性評価  ］
（１）離型性
揮散に伴いゲルが収縮する途中において、ビーカー壁面にゲルが残らず離型するか下記の基準で評価した。 
○：ビーカー壁面からゲルが残らず離型した
×：ビーカー壁面にゲルの一部が残った
【００５４】
（２）残渣形状
揮散終点において、ゲルの残渣形状を下記の基準で評価した。
○：残渣は、一塊となり収縮した
×：残渣は、いびつな形状であり、また、ビーカー壁面に残渣の一部が残った
【００５５】
実  施  例  ２  
ゲル状組成物の調製および物性評価（２）：
表２に示す組成に従い、室温下で下記の方法によりゲル状組成物を調製した。得られたゲル状組成物について、実施例１と同様にその物性を評価した。結果を併せて表２に示す。
【００５６】
【表２】
0006683526.tif 000004
【００５７】
［  製  法  ２］
室温下、プラスチック製の１００ｍｌ用ビーカー中に、表２に記載のシリコーンエマルジョン、セスキ炭酸ナトリウムおよびイオン交換水以外の成分を加え、懸濁液を得た（懸濁液１）。また、室温のイオン交換水にセスキ炭酸ナトリウムを溶解させ、セスキ炭酸ナトリウム水溶液を得た。このセスキ炭酸ナトリウム水溶液にシリコーンエマルジョンを分散させ懸濁液を得た（懸濁液２）。上記懸濁液１をスターラーで攪拌しつつ、懸濁液２を加えてゲル化させ、ゲル状組成物を得た。
【００５８】
実  施  例  ３
ゲル状組成物の調製および物性評価（３）：
表３に示す組成に従い、発明品５〜９及び比較品２については実施例１と同様の方法により、また、発明品１０については実施例２と同様の方法により、ゲル状組成物を調製した。得られたゲル状組成物について、上記同様にその物性を評価した。結果を併せて表３に示す。さらに、発明品５〜９および比較品２における、ゲル調整後３日目と７日目のゲルの収縮の様子を図２〜７に示す。
【００５９】
【表３】
0006683526.tif 000005
【００６０】
上記実施例１〜３の結果から明らかなように、低揮散性シリコーンオイルを用いることにより、ゲルは揮散に伴ってビーカー壁面に残らず離型し、揮散終点において一塊となって収縮し終点が明確であった。
【００６１】
実  施  例  ４
製  剤  例：
表４の組成により、ゲル状防虫剤およびゲル状脱臭剤をポリプロピレン製の容器内に調製した。いずれも均一な攪拌が可能であり、良好なゲル形成性を示すとともに、溶媒の揮散に伴いゲルがビーカー壁面に残らず離型し、一塊となって収縮することで使用終点が明確であり、利用価値の高い製剤を得ることができた。
【００６２】
【表４】
0006683526.tif 000006
【産業上の利用可能性】
【００６３】
本発明のゲル状組成物は、ゲルが収縮する際、容器にゲルが付着しにくく、離型性に優れたものである。また、ゲルが一塊となって収縮するため、使用終点が明確であり、美観も十分優れたものである。さらに、本発明のゲル状組成物は、低揮散性シリコーンオイルを使用するため、安全性に優れたものである。
【００６４】
従って、発明のゲル状組成物は、消臭剤、殺虫・防虫剤、殺菌剤、芳香剤等に利用することができ、また、冷蔵庫、冷凍庫、米びつ等の食料品を貯蔵している場所においても食料品にシリコーンオイルが付着することがなく、安心して使用することができるものである。
【図１】
0006683526.tif 000008
【図２】
0006683526.tif 000009
【図３】
0006683526.tif 000010
【図４】
0006683526.tif 000011
【図５】
0006683526.tif 000012
【図６】
0006683526.tif 000013
【図７】
0006683526.tif 000014